(57)【要約】【課題】適切なタイミングにて高温表示手段による表示を行うことができ、使用者に被加熱物や被加熱物の載置面の温度が高温である旨を正確に伝えることができること。【解決手段】被加熱物を加熱する加熱手段３と、被加熱物の温度を測定する温度測定手段４と、加熱開始からの積算電力量Ｗｓｕｍを測定する積算電力測定手段６と、所定の高温表示を行う高温表示手段７と、加熱手段３を制御する制御部５とを備え、制御部５は積算電力測定手段６で測定した積算電力量Ｗｓｕｍが所定のしきい値Ｗｏｎに達すると高温表示手段７にて表示するようにしたものである。これによって、実際の火力に応じて被加熱物の温度を推定でき、適切なタイミングにて高温表示を行うことができる。【選択図】図１
2007035341.tif 000002
【特許請求の範囲】
【請求項１】
被加熱物を加熱する加熱手段と、前記被加熱物の温度を測定する温度測定手段と、加熱開始からの積算電力量Ｗｓｕｍを測定する積算電力測定手段と、所定の高温表示を行う高温表示手段と、前記加熱手段を制御する制御部とを備え、前記制御部は、前記積算電力測定手段で測定した積算電力量が所定のしきい値Ｗｏｎに達すると前記高温表示手段にて表示するようにした加熱調理器。
【請求項２】
積算電力測定手段は、入力電流Ｉｔを所定時間△ｔ毎に測定し、積算電力量Ｗｓｕｍに加算するようにした請求項１に記載の加熱調理器。
【請求項３】
積算電力測定手段は、入力電流Ｉｔと入力電圧Ｖｔを所定時間△ｔ毎に測定し、前記入力電流Ｉｔと前記入力電圧Ｖｔを掛け合わせた値を積算電力量Ｗｓｕｍに加算するようにした請求項１に記載の加熱調理器。
【請求項４】
積算電力測定手段は、使用者が操作するか、または、制御部が自動的に決定する段階的な火力に応じて設定する所定定数Ａｔを所定時間△ｔ毎に積算電力量Ｗｓｕｍに加算するようにした請求項１に記載の加熱調理器。
【請求項５】
所定のしきい値Ｗｏｎは、加熱開始時に温度測定手段にて測定した被加熱物の初期温度によって変化するようにした請求項１に記載の加熱調理器。
【請求項６】
所定のしきい値Ｗｏｎは、加熱開始後に温度測定手段にて測定した被加熱物の温度の上昇傾向によって変化するようにした請求項１または５に記載の加熱調理器。
【請求項７】
制御部は、加熱中に高温表示手段にて所定の高温表示を行っているときに加熱を停止すると、加熱停止の時点から所定時間ｔｏｆｆ経過するまでの間は前記高温表示手段の所定の高温表示を継続するようにした請求項１に記載の加熱調理器。
【請求項８】
制御部は、加熱停止の時点から所定時間ｔｏｆｆ経過時点の温度測定手段の測定する被加熱物の温度が所定温度Ｔｓｈよりも低ければ高温表示手段の所定の高温表示を消灯し、前記所定温度Ｔｓｈよりも高ければ前記高温表示手段の所定の高温表示を継続するようにした請求項７に記載の加熱調理器。
【請求項９】
積算電力測定手段は、積算電力量Ｗｓｕｍが所定のしきい値Ｗｏｎに達する前に加熱を停止すると前記積算電力量Ｗｓｕｍの値を保持するようにした請求項１に記載の加熱調理器。
【請求項１０】
積算電力測定手段は、加熱停止から所定時間ｔｃｌｒ経過すると積算電力量Ｗｓｕｍの値をクリアするようにした請求項９に記載の加熱調理器。
【発明の詳細な説明】
【技術分野】
【０００１】
本発明は、加熱調理器に関するものである。
【背景技術】
【０００２】
従来、この種の加熱調理器は、例えば、鍋などの被加熱物を加熱する加熱手段と、前記加熱手段を制御する制御手段と、前記加熱手段への通電と停止の時間を測定する通電時間測定手段と所定の高温表示を行う高温表示手段を備え、前記通電時間測定手段により測定した通電時間ｔｏｎの合計が所定時間ｔｓｕｍを越えた場合に高温表示手段にて所定の高温表示を行うものがあった（例えば、特許文献１参照）。
【０００３】
これは、図３（従来）に示すように、被加熱物としての調理物を入れる鍋２１を加熱するために制御手段２２は加熱手段２３を通電する。通電時間測定手段２４は制御手段２２が加熱手段２３を通電している時間を測定し、通電時間測定手段２４で測定した通電時間ｔｏｎの合計が所定時間ｔｓｕｍを越えると、高温表示手段２５にて所定の高温表示を表示するようにしている。
【特許文献１】特開平７−１７７９６４号公報
【発明の開示】
【発明が解決しようとする課題】
【０００４】
しかしながら、前記従来の構成では、火力調節のできる加熱手段にて自動調理や手動設定などにより加熱手段の火力を調節すると高温表示手段の表示タイミングが被加熱物の温度に対して不適切になることがあるという課題を有していた。
【０００５】
本発明は、前記従来の課題を解決するもので、火力に応じて適切なタイミングで高温表示を行うことができ、使用者に被加熱物や被加熱物の載置面の温度が高温である旨をより正確に伝えることができる加熱調理器を提供することを目的とする。
【課題を解決するための手段】
【０００６】
前記従来の課題を解決するために、本発明の加熱調理器は、被加熱物を加熱する加熱手段と、前記被加熱物の温度を測定する温度測定手段と、加熱開始からの積算電力量Ｗｓｕｍを測定する積算電力測定手段と、所定の高温表示を行う高温表示手段と、前記加熱手段を制御する制御部とを備え、前記制御部は前記積算電力測定手段で測定した積算電力量が所定のしきい値Ｗｏｎに達すると前記高温表示手段にて表示するようにしたものである。
【０００７】
これによって、実際の火力に応じて被加熱物の温度を推定でき、適切なタイミングにて高温表示手段による表示を行うことができ、使用者に被加熱物や被加熱物の載置面の温度が高温である旨をより正確に伝えることができる。
【発明の効果】
【０００８】
本発明の加熱調理器は、火力に応じて適切なタイミングで高温表示を行うことができ、使用者に被加熱物や被加熱物の載置面の温度が高温である旨をより正確に伝えることができる。
【発明を実施するための最良の形態】
【０００９】
第１の発明は、被加熱物を加熱する加熱手段と、前記被加熱物の温度を測定する温度測定手段と、加熱開始からの積算電力量Ｗｓｕｍを測定する積算電力測定手段と、所定の高温表示を行う高温表示手段と、前記加熱手段を制御する制御部とを備え、前記制御部は前記積算電力測定手段で測定した積算電力量が所定のしきい値Ｗｏｎに達すると前記高温表示手段にて高温表示するようにした加熱調理器とすることにより、実際の火力に応じて被加熱物の温度を推定でき、適切なタイミングにて高温表示を行うことができ、使用者に被加熱物や被加熱物の載置面の温度が高温である旨をより正確に伝えることができる。
【００１０】
第２の発明は、特に、第１の発明において、積算電力測定手段は、入力電流Ｉｔを所定時間△ｔ毎に測定し、積算電力量Ｗｓｕｍに加算するようにしたことにより、簡易な構成で積算電力量を測定でき、実際の火力に応じて適切なタイミングにて高温表示を行うことができる。
【００１１】
第３の発明は、特に、第１の発明において、積算電力測定手段は、入力電流Ｉｔと入力電圧Ｖｔを所定時間△ｔ毎に測定し、前記入力電流Ｉｔと前記入力電圧Ｖｔを掛け合わせた値を積算電力量Ｗｓｕｍに加算するようにしたことにより、簡易な構成で、且つ正確に積算電力量を測定でき、実際の火力に応じて適切なタイミングにてより正確に高温表示を行うことができる。
【００１２】
第４の発明は、特に、第１の発明において、積算電力測定手段は、使用者が操作するか、または、制御部が自動的に決定する段階的な火力に応じて設定する所定定数Ａｔを所定時間△ｔ毎に積算電力量Ｗｓｕｍに加算するようにしたことにより、実際の入力電流や入力電圧を測定する機能を有しない最も簡易な構成にて積算電力量を測定でき、各火力設定に応じて適切なタイミングにて高温表示を行うことができる。
【００１３】
第５の発明は、特に、第１の発明において、所定のしきい値Ｗｏｎは、加熱開始時に温度測定手段にて測定した被加熱物の初期温度によって変化するようにしたことにより、被加熱物の初期温度に応じて適切な積算電力量の所定のしきい値Ｗｏｎを設定でき、被加熱物の初期温度の差により変わる高温表示手段の適切な表示のタイミングを補正することができ、被加熱物の初期温度に拘わらず、適切なタイミングにて高温表示を行うことができる。
【００１４】
第６の発明は、特に、第１の発明または第５の発明において、所定のしきい値Ｗｏｎは、加熱開始後に温度測定手段にて測定した被加熱物の温度の上昇傾向によって変化するようにしたことにより、被加熱物の熱容量や、被加熱物と被加熱物の載置面との空隙などにより変わる被加熱物や被加熱物の載置面の温度の上昇する速度に応じて適切な積算電力量の所定のしきい値Ｗｏｎを設定でき、温度の上昇速度の差により変わる高温表示手段の適切な表示のタイミングを補正することができ、被加熱物の熱容量や、被加熱物と被加熱物の載置面との空隙などに拘わらず、適切なタイミングにて高温表示を行うことができる。
【００１５】
第７の発明は、特に、第１の発明において、制御部は、加熱中に高温表示手段にて所定の高温表示を行っているときに加熱を停止すると、加熱停止の時点から所定時間ｔｏｆｆ経過するまでの間は前記高温表示手段の所定の高温表示を継続するようにしたことにより、加熱停止直後にはまだ被加熱物や被加熱物の載置面の温度が高くても高温表示を継続して使用者に温度が高温である旨を伝えることができる。
【００１６】
第８の発明は、特に、第７の発明において、制御部は、加熱停止の時点から所定時間ｔｏｆｆ経過時点の温度測定手段の測定する被加熱物の温度が所定温度Ｔｓｈよりも低ければ高温表示手段の所定の高温表示を消灯し、前記所定温度Ｔｓｈよりも高ければ前記高温表示手段の所定の高温表示を継続するようにしたことにより、高温表示手段による表示を行ったあとの加熱停止から所定時間後に、被加熱物や被加熱物の載置面の温度が低く、高温表示の必要がないときには、高温表示を消灯でき、加熱停止から所定時間後に、被加熱物や被加熱物の載置面の温度が高く、高温表示の必要があるときには高温表示を継続できる。
【００１７】
第９の発明は、特に、第１の発明において、積算電力測定手段は、積算電力量Ｗｓｕｍが所定のしきい値Ｗｏｎに達する前に加熱を停止すると前記積算電力量Ｗｓｕｍの値を保持するようにしたことにより、高温表示手段による表示を行う前に加熱停止し、その直後に加熱を再開する操作を繰り返し行うなどのケースでも最初の加熱開始からの積算電力量Ｗｓｕｍを測定でき、被加熱物や被加熱物の載置面の温度が高くなっても高温表示が行われないということがないようにすることができる。
【００１８】
第１０の発明は、特に、第９の発明において、積算電力測定手段は、加熱停止から所定時間ｔｃｌｒ経過すると積算電力量Ｗｓｕｍの値をクリアするようにしたことにより、高温表示手段による表示を行う前に加熱停止し、被加熱物や被加熱物の載置面が冷めるまで放置して加熱を再開したときにすぐに高温表示が行われないようにすることができる。
【００１９】
以下、本発明の実施の形態について、図面を参照しながら説明する。なお、本実施の形態によって本発明が限定されるものではない。
【００２０】
（実施の形態１）
図１、図２は、本発明の第１の実施の形態における加熱調理器を示すものである。
【００２１】
図１に示すように、本実施の形態における加熱調理器は、調理物を入れる鍋１と、鍋１を載置する耐熱ガラスなどで構成したトッププレート２と、鍋１をトッププレート２越しに加熱するランプヒータ、電磁誘導加熱コイルなどの加熱手段３と、鍋１の底面の温度をトッププレート２越しに測定する温度センサーなどにより構成する温度測定手段４と、加熱手段３を制御するマイコンなどで構成する制御部５と、加熱開始からの積算電力量Ｗｓｕｍを測定する積算電力測定手段６と、鍋１やトッププレート２などが高温であることを使用者に分かるように所定の高温表示をする高温表示手段７と、使用者の操作により制御部５に加熱開始や火力変更などの指示をする操作部８と、加熱手段３に供給する入力電流を測定する入力電流測定手段９と、加熱手段３に供給する入力電圧を測定する入力電圧測定手段１０とを備えている。
【００２２】
そして、制御部５は、温度測定手段４が所定の温度以上になると高温表示手段７にて所定の高温表示を行い、温度測定手段４が所定の温度以上にならなくても積算電力測定手段６で測定した積算電力量Ｗｓｕｍが所定のしきい値Ｗｏｎに達すると高温表示手段７にて所定の高温表示を行うようにしたものである。
【００２３】
この状態は、図２に、加熱開始時の高温表示動作グラフとして示している。
【００２４】
以上のように構成された加熱調理器について、以下その動作、作用を説明する。
【００２５】
まず、調理物を入れた鍋１をトッププレート２の所定の位置に載置し、操作部８により加熱開始の指示をすると、制御部５は加熱手段３を所定の火力にて通電してトッププレート２越しに鍋１を加熱する。温度測定手段４は鍋１の鍋底温度をトッププレート２越しに測定して制御部５へ伝える。積算電力測定手段６は制御部５が加熱開始したことを受けて１秒毎に入力電流測定手段９で測定した入力電流Ｉｔと入力電圧測定手段１０で測定した入力電圧Ｖｔとを掛け合わせた値である入力電力Ｗｔを積算電力量Ｗｓｕｍに加算していく。従って、加熱中に操作部８を操作して火力を変更したり、制御部５が調理シーケンスや機器の保護回路などの制御により自動的に火力を変更したりすると、都度火力に応じた入力電力Ｗｔを積算電力量Ｗｓｕｍに加算していくことになる。
【００２６】
積算電力量Ｗｓｕｍは加熱中は時間と共に増加していくが、予め設定した積算電力量の所定のしきい値Ｗｏｎ以上となると、被加熱物である鍋１や鍋１を載置してあるトッププレート２の温度が高温になったと推定し、制御部５は高温表示手段７にて高温をお知らせする高温表示を行う。
【００２７】
なお、積算電力量Ｗｓｕｍは入力電力Ｗｔを１秒ごとに積算しているが、入力電力Ｗｔの代わりに、入力電圧Ｖｔが固定であると仮定して簡易的に入力電流Ｉｔを積算するようにすることもあるし、同じく入力電力Ｗｔの代わりに、操作部８の操作や制御部５の自動的に決定する段階的な火力に応じて設定する所定定数Ａｔを積算するようにすることもある。
【００２８】
本実施の形態における段階的な火力に応じた所定定数Ａｔは（表１）に示すとおりである。
【００２９】
【表１】
2007035341.tif 000003
【００３０】
（表１）は操作部８により使用者が操作するか、または、制御部５が自動的に決定する段階的な火力に応じた所定定数Ａｔの例を示しており、例えば、火力設定が「やや強」であれば所定定数Ａｔは０．２５０であり、これは火力設定が「やや強」のときの火力９００Ｗの１秒間の電力時間積（Ｗｈ）を意味している。この方法では入力電圧測定手段１０や入力電流測定手段９を用いずに入力電力Ｗｔに相当する所定定数Ａｔが決定するので、より簡単な構成にて積算電力量Ｗｓｕｍを擬似測定できる。また、制御部５が自動的に決定する火力とは、予め設定した調理シーケンスを行う自動調理や温度調整動作、機器の保護動作などで（表１）の「弱」から「強」までの段階的な火力を適切に選択しながら動作する状態であり、使用者が火力を調整しなくても制御部５が状況に応じて適切な火力を選択するものである。
【００３１】
なお、積算電力量Ｗｓｕｍと所定定数Ａｔと積算電力量のしきい値Ｗｏｎは電力時間積（Ｗｈ）の値そのものではなく、火力に略比例した扱いやすい値としても良い。
【００３２】
以上の動作により、加熱開始からの積算電力量が所定のしきい値以上となったときに高温表示手段７にて高温をお知らせする表示を行う。温度測定手段４で測定した鍋１やトッププレート２の温度で高温表示を制御する方法もあるが、鍋１の負荷が小さく火力が強いときには温度の上昇速度が速いため温度測定手段４では温度の上昇を検知する前に鍋１やトッププレート２の温度が高温になってしまい、高温表示手段７の高温表示が遅れてしまうことがあるため、本実施の形態では温度が高温になる前に確実に高温表示手段７の高温表示をするように加熱手段３の火力を意味する入力電力を積算し、鍋１へ伝える熱エネルギーを意味する積算電力量によって時間遅れが無く、確実に高温を判断するものである。
【００３３】
ところで、積算電力量Ｗｓｕｍにより高温かどうかの判断をする上では鍋１の初期温度が結果に影響する。従って、より正確に高温の判断をするために、温度測定手段４にて測定した鍋１やトッププレート２の加熱開始時の初期温度に応じて積算電力量のしきい値Ｗｏｎの値を変えることが有効である。
【００３４】
本実施の形態における初期温度に応じたしきい値Ｗｏｎは（表２）に示すとおりである。
【００３５】
【表２】
2007035341.tif 000004
【００３６】
（表２）は加熱開始時の初期温度に応じた積算電力量のしきい値Ｗｏｎの例を示しており、例えば、初期温度が２５℃以上であれば積算電力量のしきい値Ｗｏｎは４．０Ｗｈとなり、加熱手段３の火力が１０００Ｗ一定であれば、加熱開始から約１５秒後には４．０Ｗｈを越えるので制御部５は高温表示手段７に高温表示を行う。
【００３７】
しきい値Ｗｏｎの設定は、初期温度が低ければ、それだけ高温になるまでの熱エネルギーが多くなるため、初期温度が低くなるに従ってしきい値Ｗｏｎの値は高く設定するようにしている。
【００３８】
また、積算電力量Ｗｓｕｍにより高温かどうかの判断をする上では被加熱物の熱容量や、被加熱物と被加熱物の載置面との空隙なども影響する。従って、さらに正確に高温の判断をするために、加熱開始後から温度測定手段４にて測定した鍋１やトッププレート２の温度の上昇する速度に応じて積算電力量のしきい値Ｗｏｎを補正することが有効である。
【００３９】
本実施の形態における温度上昇速度に応じた補正値Ｗｏｎｈｏは（表３）に示すとおりである。
【００４０】
【表３】
2007035341.tif 000005
【００４１】
（表３）は加熱開始後における温度上昇速度に応じた積算電力量のしきい値Ｗｏｎの補正値Ｗｏｎｈｏの例を示しており、例えば、温度測定手段４にて加熱開始から１０秒後の温度から加熱開始直後の温度を引いた温度の差Ｔｄを測定し、温度の差Ｔｄに応じた補正値Ｗｏｎｈｏを決定し、しきい値Ｗｏｎに補正値Ｗｏｎｈｏを加算する。従って、元のしきい値Ｗｏｎの値が４．０Ｗｈで、温度の差Ｔｄが１ｄｅｇであれば補正値Ｗｏｎｈｏは＋１．０Ｗｈとなり、しきい値Ｗｏｎに補正値Ｗｏｎｈｏが加算され、しきい値Ｗｏｎは５．０Ｗｈとなる。
【００４２】
補正値Ｗｏｎｈｏの設定は、温度の上昇速度が遅い、すなわち温度の差Ｔｄが小さいときは被加熱物の熱容量が大きい場合や、被加熱物と被加熱物の載置面との空隙が大きい場合、火力が小さい場合などがあり、何れの場合も実際の鍋１の載置面であるトッププレート２の温度上昇が遅く、同じ積算電力量の加熱をしてもトッププレート２の温度があまり高くならない条件であるため、積算電力量のしきい値Ｗｏｎを増やす方向に補正するようにしている。
【００４３】
一方、高温表示手段７にて高温表示を行っているときに加熱を停止すると、温度測定手段４の測定温度が所定の温度よりも低くても、加熱停止の時点から１分間（所定時間ｔｏｆｆ）は高温表示手段７の高温表示を継続するようにしている。また、加熱停止から１分間経過後に温度測定手段４で測定した温度が約６０℃に設定している所定温度Ｔｓｈよりも低ければ実際に鍋１の載置面であるトッププレート２の温度が低いと判断して高温表示手段７の高温表示を消灯し、所定温度Ｔｓｈよりも高ければ実際にトッププレート２の温度が高いと判断して高温表示手段７の高温表示を継続するようにしている。
【００４４】
これは、積算電力量Ｗｓｕｍにて高温表示手段４の高温表示を行った場合、鍋１やその載置面であるトッププレート２の温度が高いとの推定で表示しているため、実際に温度が高いかどうかは加熱停止後は温度測定手段４にて測定する温度に依らざるを得ないが、温度測定手段４の測定温度が低くても実際の鍋１やトッププレート２の温度が高い可能性があるため高温表示手段７の高温表示を１分間は継続するようにしている。また、１分間経過後に温度測定手段４の測定温度で高温表示手段７の高温表示を消灯するか継続するかを判断しているのは、機器にも依るが、加熱停止から１分経てば温度測定手段４の測定温度とトッププレート２の実温度との温度差が安定して１０ｄｅｇ以下となり、温度測定手段４の測定結果が信頼に値するためである。なお、高温表示を消灯して人が触ることができるトッププレートの実際の温度は６５℃未満となるようにしている。
【００４５】
また、積算電力量Ｗｓｕｍがしきい値Ｗｏｎ以上になる前に加熱を停止して、すぐに加熱を再開するという操作を繰り返したときに毎回積算電力量Ｗｓｕｍを初期値から入力電力Ｗｔの加算をしていく仕様では鍋１やトッププレート２の温度が高くなっても高温表示手段７の高温表示が行われないという場合がある。そこで、高温表示手段７にて高温表示を行うよりも前に加熱を停止すると、加熱開始からの積算電力量Ｗｓｕｍの値を保持し、次回の加熱開始時に保持している積算電力量Ｗｓｕｍの値から継続して入力電力Ｗｔを加算していくようにしている。これにより、積算電力量Ｗｓｕｍがしきい値Ｗｏｎ以上になる前に加熱を停止して、すぐに加熱を再開するという操作を繰り返したときにも最初の加熱開始からの積算電力量を測定することになるので、鍋１やトッププレート２の温度が高くなっても高温表示手段７の高温表示が行われないということがないようにしている。
【００４６】
さらに、積算電力量Ｗｓｕｍがしきい値Ｗｏｎ以上になる前に加熱を停止して、長時間放置した後に加熱を再開したときには加熱と停止を繰り返す場合とは条件が異なり鍋１やトッププレート２が冷めているため、積算電力量Ｗｓｕｍの値を保持して積算を継続する必要がないため、加熱停止から３分間（所定時間ｔｃｌｒ）経過すると積算電力量Ｗｓｕｍの値をクリアするようにしている。これにより、加熱停止後の長時間の停止期間後の加熱開始時には、初期状態から加熱開始するときと同じように初期状態の積算電力量Ｗｓｕｍがしきい値Ｗｏｎ以上になるまで高温表示手段７の高温表示は行わない。
【００４７】
以上のように、本実施の形態においては、制御部５は積算電力測定手段６で測定した積算電力量Ｗｓｕｍが所定のしきい値Ｗｏｎに達すると高温表示手段７にて表示するようにしたことにより、実際の火力に応じて被加熱物の温度を推定でき、適切なタイミングにて高温表示を行うことができ、使用者に被加熱物や被加熱物の載置面の温度が高温である旨をより正確に伝えることができる。
【００４８】
また、積算電力測定手段６は、入力電流Ｉｔを所定時間△ｔ毎に測定し、積算電力量Ｗｓｕｍに加算するようにしたことにより、簡易な構成で積算電力量Ｗｓｕｍを測定でき、実際の火力に応じて適切なタイミングにて高温表示を行うことができる。
【００４９】
また、積算電力測定手段６は、入力電流Ｉｔと入力電圧Ｖｔを所定時間△ｔ毎に測定し、入力電流Ｉｔと入力電圧Ｖｔを掛け合わせた値を積算電力量Ｗｓｕｍに加算するようにしたことにより、簡易な構成で、且つ正確に積算電力量Ｗｓｕｍを測定でき、実際の火力に応じて適切なタイミングにてより正確に高温表示を行うことができる。
【００５０】
また、積算電力測定手段６は、使用者が操作するか、または、制御部５が自動的に決定する段階的な火力に応じて設定する所定定数Ａｔを所定時間△ｔ毎に積算電力量Ｗｓｕｍに加算するようにしたことにより、実際の入力電流や入力電圧を測定する機能を有しない最も簡易な構成にて積算電力量Ｗｓｕｍを測定でき、各火力設定に応じて適切なタイミングにて高温表示を行うことができる。
【００５１】
また、所定のしきい値Ｗｏｎは、加熱開始時に温度測定手段４にて測定した被加熱物の初期温度によって変化するようにしたことにより、被加熱物の初期温度に応じて適切な積算電力量の所定のしきい値Ｗｏｎを設定でき、被加熱物の初期温度の差により変わる高温表示手段７の適切な表示のタイミングを補正することができ、被加熱物の初期温度に拘わらず、適切なタイミングにて高温表示を行うことができる。
【００５２】
また、所定のしきい値Ｗｏｎは、加熱開始後に温度測定手段４にて測定した被加熱物の温度の上昇傾向によって変化するようにしたことにより、被加熱物の熱容量や、被加熱物と被加熱物の載置面との空隙などにより変わる被加熱物や被加熱物の載置面の温度の上昇する速度に応じて適切な積算電力量の所定のしきい値Ｗｏｎを設定でき、温度の上昇速度の差により変わる高温表示手段７の適切な表示のタイミングを補正することができ、被加熱物の熱容量や、被加熱物と被加熱物の載置面との空隙などに拘わらず、適切なタイミングにて高温表示を行うことができる。
【００５３】
また、制御部５は、加熱中に高温表示手段７にて所定の高温表示を行っているときに加熱を停止すると、加熱停止の時点から所定時間ｔｏｆｆ経過するまでの間は高温表示手段７の所定の高温表示を継続するようにしたことにより、加熱停止直後にはまだ被加熱物や被加熱物の載置面の温度が高くても高温表示を継続して使用者に温度が高温である旨を伝えることができる。
【００５４】
また、制御部５は、加熱停止の時点から所定時間ｔｏｆｆ経過時点の温度測定手段４の測定する被加熱物の温度が所定温度Ｔｓｈよりも低ければ高温表示手段７の所定の高温表示を消灯し、所定温度Ｔｓｈよりも高ければ高温表示手段７の所定の高温表示を継続するようにしたことにより、高温表示手段７による表示を行ったあとの加熱停止から所定時間後に、被加熱物や被加熱物の載置面の温度が低く、高温表示の必要がないときには、高温表示手段７による所定の高温表示を消灯でき、加熱停止から所定時間後に、被加熱物や被加熱物の載置面の温度が高く、高温表示の必要があるときには高温表示を継続できる。
【００５５】
また、積算電力測定手段６は、積算電力量Ｗｓｕｍが所定のしきい値Ｗｏｎに達する前に加熱を停止すると積算電力量Ｗｓｕｍの値を保持するようにしたことにより、高温表示手段７による表示を行う前に加熱停止し、その直後に加熱を再開する操作を繰り返し行うなどのケースでも最初の加熱開始からの積算電力量Ｗｓｕｍを測定でき、被加熱物や被加熱物の載置面の温度が高くなっても高温表示が行われないということがないようにすることができる。
【００５６】
また、積算電力測定手段６は、加熱停止から所定時間ｔｃｌｒ経過すると積算電力量Ｗｓｕｍの値をクリアするようにしたことにより、高温表示手段７による表示を行う前に加熱停止し、被加熱物や被加熱物の載置面が冷めるまで放置して加熱を再開したときにすぐに高温表示が行われないようにすることができる。
【００５７】
なお、本実施の形態において、加熱手段３はランプヒータや電磁誘導加熱のようなトッププレート２越しに加熱できる構成としていたが、電熱ヒータやガス火などトッププレート２を使用しないで直接鍋１を加熱するような熱源を用いても同様の効果が得られる。
【産業上の利用可能性】
【００５８】
以上のように、本発明にかかる加熱調理器は、加熱開始からの積算電力量を測定することで対象物の高温状態を推定して高温表示を行うことができるので、熱源や加熱対象物の如何にかかわらず各種加熱調理器、加熱機器の高温表示の用途にも適用できる。
【図面の簡単な説明】
【００５９】
【図１】本発明の実施の形態１における加熱調理器のブロック図
【図２】本発明の実施の形態１における加熱開始時の高温表示動作グラフ
【図３】従来の加熱調理器のブロック図
【符号の説明】
【００６０】
３  加熱手段
４  温度測定手段
５  制御部
６  積算電力測定手段
７  高温表示手段
【図１】
2007035341.tif 000006
【図２】
2007035341.tif 000007
【図３】
2007035341.tif 000008